(57)【要約】【課題】容器本体に取り付けられたポンプからの薬剤の噴出と揮散体からの薬剤の揮散とを不具合無く両立することができる揮散装置を提供する。【解決手段】取付部材２１を、容器体１１の口部１６に内嵌する周壁３１と、周壁３１の内側に配置された接続部３２と、接続部３２の下端及び周壁３１の下端を全周に渡って連設する連設部３３とで構成し、周壁３１と接続部３２間にリング溝３４を形成する。取付部材２１の接続部３２を嵌合部１０１のポンプ取付部１２４に内嵌し、容器体１１を取付部材２１を介してスプレー構成部材１２のポンプ４１に接続する。リング溝３４に小筒部５１を設け、小筒部５１の内嵌穴５３に吸上芯５２を内嵌する。容器体１１より吸上芯５２で吸い上げた薬剤２を揮散体７１から揮散する。【選択図】図１
2008301916.tif 000002
【特許請求の範囲】
【請求項１】
容器体内の薬剤をポンプで吸い上げて噴出する噴出機能と、前記薬剤を吸上芯で吸い上げて揮散体から揮散する揮散機能とを備えた揮散装置において、
前記容器体の口部を閉鎖する取付部材に、前記ポンプに接続され該ポンプの吸上パイプを前記容器体内部に案内する接続部と、前記吸上芯を内嵌した状態で挿通して前記容器体内部に案内する内嵌穴とを設け、
該内嵌穴を前記接続部の外側に配置するとともに、当該内嵌穴より突出した前記吸上芯に接続される前記揮散体を前記接続部の外周部に配設したことを特徴とする揮散装置。
【請求項２】
前記接続部を、前記ポンプ側に突出して該ポンプ側に嵌合する筒状に形成したことを特徴とする請求項１記載の揮散装置。
【請求項３】
前記取付部材を、前記口部に内嵌される筒状の周壁と、該周壁の内側に配置された前記接続部と、該接続部及び前記周壁を全周に渡って連設する連設部とで構成し、該連設部に前記内嵌穴を設けたことを特徴とする請求項２記載の揮散装置。
【請求項４】
前記周壁の下端と前記接続部の下端とを前記連設部で連設して前記接続部と前記周壁との間にリング溝を形成するとともに、該リング溝の底面を構成する前記連設部に、前記容器体内部に連通する極小の呼吸穴を設けたことを特徴とする請求項３記載の揮散装置。
【発明の詳細な説明】
【技術分野】
【０００１】
本発明は、芳香剤等の薬剤を揮散する機能を備えた揮散装置に関する。
【背景技術】
【０００２】
従来、芳香剤を揮散する際には、揮散装置が用いられている。
【０００３】
この揮散装置としては、薬剤を噴出する機能と揮散する機能とを備えたものが知られている（例えば、特許文献１）。
【０００４】
この揮散装置においては、容器体の口部に円筒状の固定筒が取り付けられており、該固定筒の周壁内面には、係止筒部が一体形成されている。この固定筒の開口部には、噴霧ポンプの吸上パイプが遊嵌した状態で挿入されており、前記係止筒部には、吸上芯が挿入された状態で係止されている。
【０００５】
前記噴霧ポンプの吸上パイプの外周部には、揮散紙が設けられており、該揮散紙は、前記固定筒上に配置された状態で、該固定筒の周壁と前記吸上パイプとの間に開口した隙間を閉鎖するとともに、前記吸上芯と接触するように構成されている。
【０００６】
これにより、前記容器体内の薬剤を、前記吸上芯を介して前記揮散紙に吸い上げることで、該揮散紙から揮散できるように構成されている。また、前記噴霧ポンプを押操作することによって、前記容器本体内の薬剤を前記吸上パイプで吸い上げてノズルから噴出できるように構成されている。
【特許文献１】実開平７−０００８８２号公報
【発明の開示】
【発明が解決しようとする課題】
【０００７】
しかしながら、このような従来の揮散装置にあっては、転倒した際に容器体内の薬剤が吸上パイプの外周部に形成された隙間から流出してまう。
【０００８】
このとき、この隙間は、前記固定筒上に配置された揮散紙で閉鎖されており、流出した薬剤は、この揮散紙に吸収されることとなるが、その吸収量を超えた薬剤が、外側にこぼれ出る恐れがあった。
【０００９】
本発明は、このような従来の課題に鑑みてなされたものであり、容器本体に取り付けられたポンプからの薬剤の噴出と揮散体からの薬剤の揮散とを不具合無く両立することができる揮散装置を提供することを目的とするものである。
【課題を解決するための手段】
【００１０】
前記課題を解決するために本発明の請求項１の揮散装置にあっては、容器体内の薬剤をポンプで吸い上げて噴出する噴出機能と、前記薬剤を吸上芯で吸い上げて揮散体から揮散する揮散機能とを備えた揮散装置において、前記容器体の口部を閉鎖する取付部材に、前記ポンプに接続され該ポンプの吸上パイプを前記容器体内部に案内する接続部と、前記吸上芯を内嵌した状態で挿通して前記容器体内部に案内する内嵌穴とを設け、該内嵌穴を前記接続部の外側に配置するとともに、当該内嵌穴より突出した前記吸上芯に接続される前記揮散体を前記接続部の外周部に配設した。
【００１１】
すなわち、前記容器体の口部は、取付部材によって閉鎖されており、該取付部材には、前記ポンプに接続される接続部と、吸上芯が内嵌する内嵌穴とが設けられ、該内嵌穴は前記接続部の外側に配置されている。
【００１２】
このため、前記吸上芯を保持する内嵌穴を、前記ポンプに接続される接続部から独立することができる。これにより、この独立して設けられた接続部によって前記ポンプを前記容器体に接続することができ、前記ポンプからの薬剤の噴出が可能となる。
【００１３】
そして、揮散体を前記接続部の外周部に配設することで、当該揮散体を前記内嵌穴より突出した前記吸上芯に接続することができる。これにより、該吸上芯で吸い上げた薬剤を前記揮散体から揮散することができる。
【００１４】
また、請求項２の揮散装置においては、前記接続部を、前記ポンプ側に突出して該ポンプ側に嵌合する筒状に形成した。
【００１５】
すなわち、ポンプ側に突出した筒状の接続部を、前記ポンプ側に嵌合することで、当該ポンプは、前記容器体に接続される。
【００１６】
このとき、筒状の接続部に前記揮散体を外嵌することで、当該揮散体を前記接続部の外周部に配設した状態で、前記内嵌穴より突出した前記吸上芯上に配置して接続することができる。
【００１７】
さらに、請求項３の揮散装置では、前記取付部材を、前記口部に内嵌される筒状の周壁と、該周壁の内側に配置された前記接続部と、該接続部及び前記周壁を全周に渡って連設する連設部とで構成し、該連設部に前記内嵌穴を設けた。
【００１８】
これにより、前記取付部材の構造が簡素化される。
【００１９】
また、この取付部材を前記容器体の口部に嵌着するだけで、当該取付部材は、前記容器体にセットされる。
【００２０】
加えて、請求項４の揮散装置にあっては、前記周壁の下端と前記接続部の下端とを前記連設部で連設して前記接続部と前記周壁との間にリング溝を形成するとともに、該リング溝の底面を構成する前記連設部に、前記容器体内部に連通する極小の呼吸穴を設けた。
【００２１】
すなわち、前記取付部材を構成する周壁と前記接続部との間には、リング溝が形成されており、該リング溝の底面を構成する前記連設部には、前記容器体内部に連通する極小の呼吸穴が開設されている。
【００２２】
このため、揮散体から薬剤が揮散すると前記呼吸穴から前記容器体内へ空気が流入することで、揮散に伴って容器体内に発生する負圧が解消される。
【００２３】
また、この呼吸穴は、極小であるため、容器体内の薬剤の漏れが未然に防止される。
【００２４】
さらに、前記呼吸穴から僅かな量の薬剤が漏れることがあったとしても、その薬剤を前記リング溝に貯留することができる。
【発明の効果】
【００２５】
以上説明したように本発明の請求項１の揮散装置にあっては、吸上芯を保持する内嵌穴とポンプに嵌合する接続部とを独立して設けることで、前記内嵌穴から独立した接続部によって前記ポンプを前記容器体に接続することができる。
【００２６】
このため、ポンプの吸上パイプが挿入される穴内に吸上芯の係止筒部が存在する構造上、前記吸上パイプの外周部に隙間が形成されてしまう従来と比較して、転倒した場合であっても、前記容器体からの薬剤の流出を防止することができる。
【００２７】
したがって、容器体に取り付けられたポンプからの薬剤の噴出と、揮散体からの薬剤の揮散とを不具合無く両立することができる。
【００２８】
また、請求項２の揮散装置においては、ポンプ側に突出した筒状の接続部を前記ポンプ側に嵌合するだけで、当該ポンプを前記容器体に接続することができる。
【００２９】
このとき、筒状の接続部に前記揮散体を外嵌することで、当該揮散体を前記接続部の外周部に配設した状態で、前記内嵌穴より突出した前記吸上芯上に配置して接続することができる。
【００３０】
さらに、請求項３の揮散装置では、簡素な構造で前記取付部材を構成することができる。
【００３１】
そして、この取付部材を前記容器体の口部に嵌着するだけで、当該取付部材を前記容器体にセットすることができる。
【００３２】
加えて、請求項４の揮散装置にあっては、前記取付部材を構成する周壁と接続部との間にリング溝が形成されており、該リング溝の底面を構成する連設部に、前記容器体内部へ連通する極小の呼吸穴が開設されている。
【００３３】
このため、揮散体から薬剤が揮散すると前記呼吸穴から前記容器体内へ空気が流入することで、揮散に伴って容器体内に発生する負圧を解消することができる。これにより、前記内嵌穴に内嵌した前記吸上芯による薬剤の吸い上げ力の低下を未然に防止することができる。
【００３４】
また、この呼吸穴は、極小であるため、前記容器体内の薬剤の不用意な漏れを防止することができる。
【００３５】
さらに、前記呼吸穴から僅かな量の薬剤が漏れることがあったとしても、その薬剤を前記リング溝に貯留することができる。
【発明を実施するための最良の形態】
【００３６】
以下、本発明の一実施の形態を図に従って説明する。図１は、本実施の形態にかかる揮散装置１を示す図であり、該揮散装置１は、消臭剤、芳香剤、防虫剤、殺虫剤等の液状の薬剤２を噴出する機能と揮散する機能とを備えている。
【００３７】
この揮散装置１は、容器体１１と、該容器体１１の上部に取り付けられたスプレー構成部材１２とによって構成されている。
【００３８】
前記容器体１１は、直方体形状に形成されており、当該容器体１１の内部には、前記薬剤２が収容されている。前記容器体１１の周面１３上部には、係止溝１４が全周に渡って凹設されており、天面１５の中央部には、上方へ突出した円筒状の口部１６が一体形成されている。該口部１６には、前記容器体１１の内部と外部とを連通する開口部が上方へ向けて開口しており、当該口部１６の外周面には、販売時に閉鎖キャップを螺着する為の雄ねじ１８が形成されている。
【００３９】
前記口部１６の開口部には、取付部材２１が内嵌された状態で装着されており、該取付部材２１によって前記口部１６の開口部が閉鎖されている。
【００４０】
前記取付部材２１は、図２にも示すように、前記口部１６に内嵌される円筒状の周壁３１と、該周壁３１の内側に離間して配置された円筒状の接続部３２と、該接続部３２の下端及び前記周壁３１の下端を全周に渡って連設する円形リング状の連設部３３とによって一体形成されており、前記周壁３１と前記接続部３２との間には、円形リング状のリング溝３４が形成されている。前記周壁３１の上端部には、外方へ延出した鍔部３５が一体形成されており、当該取付部材２１を前記口部１６に内嵌した状態で、前記鍔部３５が前記口部１６の上端に当接して、その挿入量を規制できるように構成されている。
【００４１】
この取付部材２１の前記接続部３２の長さ寸法は、前記周壁３１より長く設定されており、当該接続部３２は、その先端部が前記スプレー構成部材１２側へ突出するように構成されている。また、この接続部３２の先端部には、先端へ向かうに従って縮径するように形成された、先細り形状のテーパ部３６が形成されている。
【００４２】
これにより、図１に示したように、当該接続部３２を、前記スプレー構成部材１２のポンプ４１に接続できるように構成されており、装着時には、先細りしたテーパ部３６によって容易に内嵌できるように構成されている。
【００４３】
前記取付部材２１には、図２の（ａ）に示したように、前記周壁３１と前記接続部３２との間の前記リング溝３４に円筒状の小筒部５１が一体形成されており、該小筒部５１によって吸上芯５２を内嵌する内嵌穴５３が形成されている（図１参照）。該内嵌穴５３は、図２の（ｂ）にも示すように、前記リング溝３４の底面を構成する前記連設部３３を貫通しており、図１に示したように、前記容器体１１内に連通するように構成されている。
【００４４】
これにより、前記内嵌穴５３は、前記接続部３２の外側に配置されており、この内嵌穴５３に密着的に内嵌された棒状の前記吸上芯５２は、前記容器体１１内に案内されるとともに、その下端が当該容器体１１の底面６１に達する一方、その上端が前記周壁３１より上方へ突出するように構成されている。
【００４５】
そして、前記接続部３２には、揮散体７１が外嵌した状態で取り付けられており、当該接続部３２の外周部に前記揮散体７１が配設されている。該揮散体７１は、厚肉板状に形成されており、その中央部には、前記接続部３２が挿通する円形穴７２が設けられている。
【００４６】
この揮散体７１は、フェルトや不織布や濾紙等の吸水性素材で構成されており、厚み方向へ弾性変形する弾力性を有している。当該揮散体７１は、前記周壁３１の上端に載置された状態で支持されており、この支持状態において、前記内嵌穴５３より突出した前記吸上芯５２に接続されるように構成されている。
【００４７】
これにより、前記容器体１１の前記薬剤２を、前記吸上芯５２で前記揮散体７１に吸い上げることによって、この薬剤２を当該揮散体７１から揮散できるように構成されている。
【００４８】
そして、前記リング溝３４の底面を構成する前記連設部３３には、図２に示したように、前記小筒部５１と逆側に呼吸穴８１が開設されており、該呼吸穴８１は前記容器体１１内部に連通している。
【００４９】
前記スプレー構成部材１２は、図１に示したように、直方体形状に形成されており、該スプレー構成部材１２は、前記容器体１１の上部に嵌着される嵌合部１０１を備えている。
【００５０】
該嵌合部１０１は、下方へ開口した矩形容器状に形成されており、前記容器体１１の上部に外嵌する下縁部には、前記容器体１１の周面１３に形成された前記係止溝１４に係止される係止部１１１が各面に突設されている。この嵌合部１０１の側面には、複数の揮散口１１２，・・・が開設されており、前記揮散体７１から揮散した前記薬剤２を外部へ放出できるように構成されている。
【００５１】
前記嵌合部１０１の上部には、縮径した小径部１２１が形成されており、該小径部１２１の天面１２２には、周面に雄ねじ１２３を有した円筒状のポンプ取付部１２４が突設されている。該ポンプ取付部１２４には、前記容器体１１内の薬剤２を吸い上げる前記ポンプ４１が螺着固定されており、該ポンプ４１のシリンダ１２５は、前記ポンプ取付部１２４を介して前記天面１２２より下方へ向けて延出している。
【００５２】
このポンプ取付部１２４の下部には、前記容器体１１内に取り付けられた前記取付部材２１の前記接続部３２が内嵌しており、当該接続部３２は、全周に渡って前記ポンプ取付部１２４の内周面に密着するように構成されている。これにより、前記容器体１１は、前記取付部材２１を介して、前記スプレー構成部材１２の前記ポンプ４１に接続されている。
【００５３】
該ポンプ４１の前記シリンダ１２５からは、前記薬剤２を吸い上げる為の吸上パイプ１３１が延出しており、該吸上パイプ１３１は、前記取付部材２１の前記接続部３２を介して、前記容器体１１内に案内されるとともに、その下端が前記容器体１１の底部に達するように構成されている。
【００５４】
前記ポンプ４１には、噴霧部１４１が上下動自在に支持されており、該噴霧部１４１は、頭部１４２と該頭部１４２より側方へ向けて延出したノズル１４３とによって構成されている。この噴霧部１４１は、前記頭部１４２が矩形容器状の操作キャップ１４４の天面１４５に設けられた嵌着部１４６に嵌着固定されており、当該操作キャップ１４４の下端部は、前記嵌合部１０１の前記小径部１２１に上下動自在に外嵌している。
【００５５】
これにより、前記操作キャップ１４４を押し下げた際には、該操作キャップ１４４と共に前記噴霧部１４１の前記頭部１４２が下動して前記ポンプ４１を作動させ、前記吸上パイプ１３１によって前記容器体１１内の薬剤２を吸い上げるとともに、この薬剤２を前記ノズル１４３の先端から前記操作キャップ１４４に設けられた噴霧口１５１を介して噴霧できるように構成されている。
【００５６】
これにより、当該揮散装置１では、前記容器体１１内の薬剤２を前記ポンプ４１で吸い上げて噴出する噴出機能と、前記薬剤２を前記吸上芯５２で吸い上げて前記揮散体７１から揮散する揮散機能とを備えている。
【００５７】
以上の構成にかかる本実施の形態において、前記容器体１１の口部１６は、当該口部１６に嵌着された取付部材２１によって閉鎖されている。そして、この取付部材２１には、前記ポンプ４１に接続される接続部３２と、前記吸上芯５２が内嵌する内嵌穴５３とが設けられており、該内嵌穴５３は、前記接続部３２の外側に配置されている。
【００５８】
このため、前記吸上芯５２を保持する前記内嵌穴５３を、前記ポンプ４１に接続される前記接続部３２から独立することができる。これにより、この独立して設けられた接続部３２によって前記ポンプ４１を前記容器体１１に接続することができ、前記ポンプ４１からの薬剤２の噴出が可能となる。
【００５９】
そして、前記揮散体７１を前記接続部３２の外周部に配設することで、当該揮散体７１を前記内嵌穴５３より突出した前記吸上芯５２に接続することができる。これにより、該吸上芯５２で吸い上げた薬剤２を前記揮散体７１から揮散することができる。
【００６０】
このように、前記吸上芯５２を保持する前記内嵌穴５３から独立した前記接続部３２によって前記ポンプ４１を前記容器体１１に接続することができるので、ポンプの吸上パイプが挿入される穴内に吸上芯の係止筒部が存在する構造上、前記吸上パイプの外周部に隙間が形成されてしまう従来と比較して、転倒した場合であっても、前記容器体１１からの薬剤２の流出を防止することができる。
【００６１】
したがって、前記容器体１１に取り付けられたポンプ４１からの薬剤２の噴出と、前記揮散体７１からの薬剤２の揮散とを不具合無く両立することができる。
【００６２】
また、前記ポンプ４１側に突出した筒状の前記接続部３２を、前記ポンプ４１側の嵌合部１０１に設けられたポンプ取付部１２４に内嵌することで、当該ポンプ４１を前記容器体１１に接続することができる。
【００６３】
このとき、筒状の前記接続部３２に前記揮散体７１を外嵌することで、当該揮散体７１を前記接続部３２の外周部に配設した状態で、前記内嵌穴５３より突出した前記吸上芯５２上に配置して接続することができる。
【００６４】
さらに、前記口部１６に内嵌される筒状の周壁３１と、該周壁３１の内側に配置された前記接続部３２と、該接続部３２及び前記周壁３１を全周に渡って連設する連設部３３とで構成するとともに、該連設部３３に前記内嵌穴５３を設けることで、前記取付部材２１を形成することができる。これにより、前記取付部材２１の構造を簡素化することができる。
【００６５】
そして、この取付部材２１を前記容器体１１の前記口部１６に内嵌するだけで、当該取付部材２１を前記容器体１１にセットすることができる。
【００６６】
また、この取付部材２１を構成する前記周壁３１と前記接続部３２との間には、前記リング溝３４が形成されており、該リング溝３４の底面を構成する前記連設部３３には、前記容器体１１内部へ連通する極小の呼吸穴８１が開設されている。
【００６７】
このため、前記揮散体７１から薬剤２が揮散すると、前記呼吸穴８１から前記容器体１１内へ空気が流入することにより、揮散体７１からの薬剤２の揮散に伴って容器体１１内に発生する負圧を解消することができる。
【００６８】
これにより、前記内嵌穴５３に内嵌した前記吸上芯５２による薬剤２の吸い上げ力の低下を未然に防止することができる。
【００６９】
また、この呼吸穴８１は、極小であるため、前記容器体１１内の薬剤２の不用意な漏れを防止することができる。
【００７０】
さらに、前記呼吸穴８１から僅かな量の薬剤２が漏れることがあったとしても、その薬剤２を前記リング溝３４に貯留することができる。
【図面の簡単な説明】
【００７１】
【図１】本発明の一実施の形態を示す一部断面図である。
【図２】同実施の形態の取付部材を示す図で、（ａ）は平面図であり、（ｂ）は（ａ）のＡ−Ａ断面図である。
【符号の説明】
【００７２】
１    揮散装置
２    薬剤
１１    容器体
１６    口部
２１    取付部材
３１    周壁
３２    接続部
３３    連設部
３４    リング溝
４１    ポンプ
５２    吸上芯
５３    内嵌穴
７１    揮散体
８１    呼吸穴
１３１    吸上パイプ
【図１】
2008301916.tif 000003
【図２】
2008301916.tif 000004